(57)【要約】【課題】アクセサリの組立製造効率を向上する。【解決手段】アクセサリ本体であるペンダント本体１０は、主アクセサリ部１１とヒートン２１とを有する。主アクセサリ部１１は凸形状の主表面１２と主表面１２に対して反対側の主背面１３を備え、ヒートン２１は主アクセサリ部１１の外部に突出する丸環部２２と、主アクセサリ部１１に埋め込まれる埋設部２３と、埋設部２３と丸環部２２との間に丸環部２２に対して傾斜して設けられ主背面１３を貫通する傾斜連結部２４を備えている。【選択図】図１
2018057590.tif 000002
【特許請求の範囲】
【請求項１】
成形型により成形される凸形状の主表面および前記主表面に対して反対側の主背面を備え、成形型により成形される主アクセサリ部と、
前記主アクセサリ部の外部に突出する丸環部、前記主アクセサリ部に埋め込まれる埋設部、および前記埋設部と前記丸環部との間に前記丸環部に対して傾斜して設けられ前記主背面を貫通する傾斜連結部を備え、前記主アクセサリ部に取り付けられるヒートンと、
を有するアクセサリ。
【請求項２】
請求項１記載のアクセサリにおいて、成形型により成形される副表面および前記副表面に対して反対側の副背面を備え、前記主アクセサリ部の前記主背面に前記副背面で接合される副アクセサリ部を有する、アクセサリ。
【請求項３】
請求項１記載のアクセサリにおいて、前記主アクセサリ部は常温で成形される成形材料により成形される、アクセサリ。
【請求項４】
請求項３記載のアクセサリにおいて、前記成形材料は、紫外線硬化樹脂、粘土、または液状シリコンである、アクセサリ。
【請求項５】
成形型により成形される凸形状の主表面および前記主表面に対して反対側の主背面を備え、成形型により成形される主アクセサリ部に取り付けられるヒートンであって、
前記主アクセサリ部の外部に突出する丸環部と、
前記主アクセサリ部に埋め込まれる埋設部と、
前記埋設部と前記丸環部との間に前記丸環部に対して傾斜して設けられ前記主背面を貫通する傾斜連結部と、を有するヒートン。
【請求項６】
請求項５記載のヒートンにおいて、前記丸環部は横断面が円形であり、前記埋設部は前記丸環部の線径よりも小さい厚みの平坦形状である、ヒートン。
【請求項７】
凹形状の主成形面と前記主成形面が開口する主開口部とが設けられた成形型に成形材料を供給し、前記主成形面に対応した凸形状の主表面および前記主開口部に対応する主背面を備えた主アクセサリ部を成形する成形工程と、
前記主アクセサリ部の外部に突出する丸環部、前記主アクセサリ部に埋め込まれる埋設部、および前記埋設部と前記丸環部との間に前記丸環部に対して傾斜して設けられ前記主背面を貫通する傾斜連結部を備えたヒートンを前記成形型に配置する配置工程と、
前記主アクセサリ部を硬化させて前記ヒートンを前記主アクセサリ部に固定する硬化工程と、
を有するアクセサリの製造方法。
【請求項８】
請求項７記載のアクセサリの製造方法において、凹形状の副成形面と前記副成形面が開口する副開口部が設けられた成形型に成形材料を供給し、成形型により成形される副表面および前記副表面に対して反対側の副背面を備えた副アクセサリ部を成形する成形工程と、
前記副アクセサリ部を前記主アクセサリ部の前記主背面に前記副背面で接合する接合工程と、
を有するアクセサリの製造方法。
【発明の詳細な説明】
【技術分野】
【０００１】
本発明は、ネックレス、イヤリングおよびチャーム等のアクセサリに用いられるヒートンおよびヒートンを有するアクセサリの技術に関する。
【背景技術】
【０００２】
ネックレスやペンダント等の装飾品つまりアクセサリには、鎖や紐などからなるループ部と、これに取り付けられるアクセサリ本体とを有するものがあり、アクセサリ本体はトップとも言われる。ループ部にアクセサリ本体を取り付けるために、アクセサリ本体にはヒートンが固定される。イヤリングは、イヤリング金具と、これに取り付けられるアクセサリ本体としてのイヤリングパーツとを有し、イヤリングパーツにはヒートンが固定される。
【０００３】
特許文献１には、アクセサリ本体としてのペンダント基台をトップとして、これに鎖からなるループ部により吊り下げるようにしたペンダントが記載されており、ペンダント基台に設けられる丸環部を備えた金具つまりヒートンにより、鎖はペンダント基台に取り付けられる。特許文献２には、ピアス本体と、イヤリングパーツとしてのチャームとを連結部により連結したチャーム付身飾品が記載されている。
【先行技術文献】
【特許文献】
【０００４】
【特許文献１】特開２０１１−８３５３７号公報
【特許文献２】特開２０００−２７９２２０号公報
【発明の概要】
【発明が解決しようとする課題】
【０００５】
例えば、ペンダントのアクセサリ本体は上述のようにトップあるいはペンダントトップとも言われており、アクセサリ本体に固定されるヒートンつまりヒートン金具は、従来、アクセサリ本体から外部に突出する丸環部と、アクセサリ本体に埋め込まれるねじ部とを有している。ヒートンをアクセサリ本体に取り付けるには、アクセサリ本体にねじ孔を形成し、そのねじ孔にヒートンに設けられた雄ねじ部をねじ結合する必要がある。このため、アクセサリ本体の製造には時間がかかり、アクセサリの組立製造効率を高めることができないという問題点がある。
【０００６】
本発明の目的は、アクセサリの組立製造効率を向上することにある。
【課題を解決するための手段】
【０００７】
本発明のアクセサリは、成形型により成形される凸形状の主表面および前記主表面に対して反対側の主背面を備え、成形型により成形される主アクセサリ部と、前記主アクセサリ部の外部に突出する丸環部、前記主アクセサリ部に埋め込まれる埋設部、および前記埋設部と前記丸環部との間に前記丸環部に対して傾斜して設けられ前記主背面を貫通する傾斜連結部を備え、前記主アクセサリ部に取り付けられるヒートンと、を有する。
【０００８】
本発明のヒートンは、成形型により成形される凸形状の主表面および前記主表面に対して反対側の主背面を備え、成形型により成形される主アクセサリ部に取り付けられるヒートンであって、前記主アクセサリ部の外部に突出する丸環部と、前記主アクセサリ部に埋め込まれる埋設部と、前記埋設部と前記丸環部との間に前記丸環部に対して傾斜して設けられ前記主背面を貫通する傾斜連結部と、を有する。
【０００９】
本発明のアクセサリの製造方法は、凹形状の主成形面と前記主成形面が開口する主開口部とが設けられた成形型に成形材料を供給し、前記主成形面に対応した凸形状の主表面および前記主開口部に対応する主背面を備えた主アクセサリ部を成形する成形工程と、前記主アクセサリ部の外部に突出する丸環部、前記主アクセサリ部に埋め込まれる埋設部、および前記埋設部と前記丸環部との間に前記丸環部に対して傾斜して設けられ前記主背面を貫通する傾斜連結部を備えたヒートンを前記成形型に配置する配置工程と、前記主アクセサリ部を硬化させて前記ヒートンを前記主アクセサリ部に固定する硬化工程と、を有する。
【発明の効果】
【００１０】
アクセサリは主アクセサリ部とヒートンとを有しており、主アクセサリ部の外部に突出する丸環部と、主アクセサリ部に埋め込まれる埋設部と、丸環部と埋設部とを連結し丸環部に対して傾斜した傾斜連結部とを備えている。主アクセサリ部は成形材料により成形され、成形材料が硬化すると、ヒートンの埋設部は主アクセサリ部に固定される。したがって、ヒートンを主アクセサリ部にねじ結合することなく、主アクセサリ部を成形する成形材料の硬化を利用することにより、容易にヒートンを主アクセサリ部に固定することができ、アクセサリの組立製造効率を向上させることができる。
【図面の簡単な説明】
【００１１】
【図１】アクセサリの一例であるペンダント本体を示し、（Ａ）は正面図であり、（Ｂ）は側面図である。
【図２】図２は図１に示されたヒートンを示す斜視図である。
【図３】（Ａ）はヒートンの正面図であり、（Ｂ）はヒートンの側面図である。
【図４】ペンダント本体の製造工程を示す断面図であり、（Ａ）は成形型にヒートンを配置した状態を示し、（Ｂ）は成形型の凹部に成形材料を供給した状態を示し、（Ｃ）は成形型により成形されたペンダント本体を示す。
【図５】（Ａ）は変形例であるペンダント本体を示す側面図であり、（Ｂ）は他の変形例であるペンダント本体を示す側面図である。
【図６】図５（Ａ）に示したペンダント本体の製造工程を示す断面図であり、（Ａ）は副アクセサリ部を成形する成形型を示し、（Ｂ）は成形型に成形材料を供給した状態を示し、（Ｃ）は成形型から取り出した状態の副アクセサリ部を示す断面図であり、（Ｄ）は副アクセサリ部を主アクセサリ部に接合して形成されたペダント本体を示す断面図である。
【図７】（Ａ）〜（Ｄ）はそれぞれ変形例であるヒートンを示す正面図である。
【図８】成形型の変形例を示す平面図である。
【図９】図８におけるＡ−Ａ線断面図である。
【発明を実施するための形態】
【００１２】
以下、本発明の実施の形態を図面に基づいて詳細に説明する。図１はアクセサリの一例であるペンダントを構成するペンダント本体１０を示す。ペンダント本体１０は、ペンダントトップとも言われ、主アクセサリ部１１とヒートン金具つまり金属製のヒートン２１とを有している。主アクセサリ部１１は、成形型を用いて成形材料により成形され、凸形状の主表面１２とこれに対して反対側の平坦な主背面１３とを備えている。ヒートン２１は真鍮製であるが、アルミニウムなどの金属や、樹脂材料により形成するようにしても良い。
【００１３】
ヒートン２１は、図２に示されるように、主アクセサリ部１１の外側に突出する丸環部２２と、主アクセサリ部１１の内部に埋め込まれる埋設部２３とを有している。埋設部２３と丸環部２２との間には、丸環部２２に対して傾斜して設けられる傾斜連結部２４が設けられており、傾斜連結部２４は主アクセサリ部１１の主背面１３の端部を貫通し、丸環部２２の連結部２５に連なっている。ただし、連結部２５を設けることなく、傾斜連結部２４を丸環部２２に直接連結させるようにしても良い。
【００１４】
ヒートン２１は、横断面が円形であって線径が１ｍｍ以下の真鍮製の線材を塑性加工することにより形成される。丸環部２２は、図３に示されるように、線材を円形に折り曲げることにより形成されており、外径Ｄは３〜６ｍｍ程度であり、内径ｄは１．５〜３ｍｍ程度である。ヒートン２１の長さ寸法Ｌは、７〜１３ｍｍ程度であり、埋設部２３の長さ寸法Ｍは３〜６ｍｍ程度である。埋設部２３は、丸環部２２の線材よりも小さい厚みの平坦形状であり、埋設部２３の厚み寸法ｔは、例えば、０．１〜０．２ｍｍ程度である。埋設部２３は丸環部２２と平行な方向となって延びており、傾斜連結部２４と埋設部２３との成す角度θは、４０度程度に設定される。傾斜連結部２４の根元２６と埋設部２３との間の段差寸法Ｔは、約１ｍｍ程度である。
【００１５】
傾斜連結部２４は、図３（Ａ）に示されるように、埋設部２３から連結部２５に向けて幅が狭くなるようにテーパ形状となっている。さらに、傾斜連結部２４は、図３（Ｂ）に示されるように、埋設部２３から連結部２５に向けてほぼ埋設部２３の厚みで延びており、根元２６の厚み寸法は埋設部２３の厚み寸法に近い値となっている。
【００１６】
上述したそれぞれの寸法は、一例であって、主アクセサリ部１１のサイズ、丸環部２２を貫通する鎖等の部材の太さに応じて選択され、上述した寸法値に限られない。また、ヒートン２１を形成するための線材としては、横断面が円形の線材に限られることなく、横断面が矩形の線材を使用しても良い。
【００１７】
図４は、ペンダント本体を成形型により成形するための製造方法の手順を示す断面図である。成形型３１には凹形状の成形面３２が形成されており、この成形面３２は主成形面となっている。成形面３２により成形型３１には凹部３３が形成され、成形面３２は成形型３１の上面３４に開口しており、開口部３５は主開口部を形成する。
【００１８】
図４（Ａ）は成形型３１にヒートン２１が配置された状態を示す。配置工程によりヒートン２１が成形型３１に配置されると、ヒートン２１は、丸環部２２が成形型３１の上面３４の上に乗せられ、埋設部２３は開口部３５よりも下側に入り込む。埋設部２３は丸環部２２よりも薄く設定されており、丸環部２２よりも軽量である。したがって、凹部３３内に埋設部２３が突出してしても、ヒートン２１は、揺れ動くことなく、成形型３１の上面３４に安定した状態で配置される。
【００１９】
図４（Ｂ）に示されるように、成形型３１の凹部３３内には成形材料Ｇが供給される。この成形工程により、主成形面としての凹形状の成形面３２に対応した凸形状の主表面１２と、開口部３５に対応する主背面１３とを備えた主アクセサリ部１１が成形される。主アクセサリ部１１は、光硬化樹脂を成形材料として成形される。光硬化樹脂は特定波長の光によって重合し硬化する樹脂であり、光硬化樹脂としての紫外線硬化樹脂を使用することができる。紫外線硬化樹脂つまりＵＶ硬化樹脂としては、ウレタンアクリレート、アクリル樹脂アクリレート、エポキシアクリレート等を使用することができる。紫外線硬化樹脂により成形された主アクセサリ部１１は、紫外線を照射することにより、常温で短時間に硬化する。この硬化工程により成形材料Ｇからなる主アクセサリ部１１は硬化して、ヒートン２１が主アクセサリ部１１に固定される。
【００２０】
図４においては、ヒートン２１の配置工程と、成形材料Ｇを凹部３３内に供給する成形工程とを別工程としているが、ヒートン２１を成形型３１に配置するとともに、成形材料Ｇを凹部３３内に供給するようにしても良い。また、成形材料Ｇを凹部３３内に供給した後に、ヒートン２１を成形型３１に配置するようにしても良い。
【００２１】
図４（Ｃ）は、硬化した主アクセサリ部１１を成形型３１から取り出した状態を示す。このように、主表面１２と主背面１３とを有する主アクセサリ部１１とヒートン２１とを備えたペンダント本体１０が製造される。ヒートン２１の埋設部２３は、傾斜連結部２４を介して丸環部２２に連なっており、丸環部２２に対して段差Ｔの寸法だけ、主背面１３から離れて、主アクセサリ部１１の内部に入り込んでいる。したがって、丸環部２２に主アクセサリ部１１に対して傾斜する方向に外力が加わっても、主アクセサリ部１１は破損することなく、主アクセサリ部１１に対するヒートン２１の固定強度を十分に確保することができる。
【００２２】
埋設部２３は平坦形状となっており、主アクセサリ部１１との接触面積が大きく設定される。また、傾斜連結部２４は埋設部２３から丸環部２２に向けて幅寸法が小さくなったテーパ形状となっている。これにより、埋設部２３と傾斜連結部２４は、主アクセサリ部との密着強度が高められ、ヒートン２１を主アクセサリ部１１から抜け出す方向の外力がヒートン２１に加わっても、ヒートン２１が主アクセサリ部１１から抜けることを確実に防止できる。したがって、従来のように、ヒートンをねじ結合する場合に比して、ヒートン２１の主アクセサリ部１１に対する取付強度を大幅に向上させることができ、アクセサリであるペンダントの組立製造効率を向上させることができる。
【００２３】
図１においては、主アクセサリ部１１の外観の概略形状のみが便宜的に示されているが、製品化される主アクセサリ部１１の主表面１２に種々のデザインを施すために、成形型３１の成形面３２には凹凸形状に形成される。また、主表面１２や主背面１３に顔料を用いて着色したり、成形材料に顔料を含ませたりして製品化することもできる。さらに、成形材料Ｇとしては、透明性を有するものや、顔料を含ませたもの等を使用することができる。
【００２４】
このペンダント本体１０の丸環部２２に鎖や紐などからなるループ部が装着されてペンダントが製品化される。このペンダントが使用されるときには、主表面１２がペンダントを身につけた人の正面を向いた状態となる。このように、主アクセサリ部１１を備えたペンダント本体１０としても製品化されるが、主アクセサリ部１１の主背面１３に副アクセサリ部１５を接合したペンダント本体１０とすることもできる。
【００２５】
図５（Ａ）は、主アクセサリ部１１と副アクセサリ部１５とからなるペンダント本体１０を示す。主アクセサリ部１１は図１に示されたものと同一形状である。副アクセサリ部１５は、成形型により成形される凸形状の副表面１６と、これに対して反対側の副背面１７とを備えており、主アクセサリ部１１と全体形状は同一である。ただし、副アクセサリ部１５にはヒートン２１は取り付けられない。副アクセサリ部１５は、その副背面１７と主アクセサリ部１１の主背面１３とを接着剤により接着することにより、主アクセサリ部１１に接合される。
【００２６】
図６は、図５（Ａ）に示したペンダント本体の製造方法の手順を示す断面図である。図５（Ａ）に示される副アクセサリ部１５は、主アクセサリ部１１と同一形状であるので、副アクセサリ部１５は、図６（Ａ）に示されるように、図４に示されたものと同一形状の成形型３１により成形される。したがって、成形型３１により副アクセサリ部１５を成形するときには、成形面３２は副表面１６を成形する副成形面を構成し、開口部３５は副成形面が開口する副開口部を構成する。
【００２７】
副アクセサリ部１５を形成するには、図６（Ｂ）に示されるように、成形型３１の凹部３３内に成形材料Ｇが供給される。成形材料Ｇとしては、主アクセサリ部１１と同一の成形材料を使用することができる。つまり、副アクセサリ部１５の成形材料Ｇとして主アクセサリ部１１と同一の紫外線硬化樹脂が使用されるときには、凹部３３内に供給された成形材料Ｇに紫外線が照射されて副アクセサリ部１５は硬化される。
【００２８】
図６（Ｃ）は硬化された後に、成形型３１から取り出された副アクセサリ部１５を示す断面図である。このようにして成形された副アクセサリ部１５は、図６（Ｄ）に示されるように、主アクセサリ部１１の主背面１３と副アクセサリ部１５の副背面１７とを接着剤により接着することにより、主アクセサリ部１１に接着される。この接合工程により、主アクセサリ部１１と副アクセサリ部１５とを備えたペンダント本体１０が製造される。主背面１３と副背面１７とを接着するときには、ヒートン２１の傾斜連結部２４は平坦な薄い厚みとなっており、接着剤層の厚み程度であり、接着作業を容易に行うことができる。このように、表面側の形状が相互に同一となった主アクセサリ部１１と副アクセサリ部１５とからなるペンダント本体１０は、両面が同一のデザインとなったものとなる。
【００２９】
ペンダント本体１０の形態には、主アクセサリ部１１およびヒートン２１とからなるものと、主アクセサリ部１１、副アクセサリ部１５およびヒートン２１とからなるものとがあり、ヒートン２１に鎖を装着することにより、いずれの形態においても、ペンダントとしてのアクセサリを製品化することができる。
【００３０】
図５（Ｂ）は他の変形例であるペンダント本体１０を示す側面図である。このペンダント本体１０は、主アクセサリ部１１と副アクセサリ部１５の表面側の形状が相互に相違している。主背面１３と副背面１７のサイズは相互に同一であり、図５（Ｂ）のペンダント本体１０は、図５（Ａ）のペンダント本体１０と同様に、主アクセサリ部１１と副アクセサリ部１５とを接合することにより製造される。
【００３１】
主アクセサリ部１１と副アクセサリ部１５の成形材料Ｇとしては、上述した紫外線硬化樹脂のみならず、二液性エポキシ樹脂を使用することができる。二液性エポキシ樹脂は、エポキシ樹脂と硬化剤の二液混合によって常温で硬化される。さらに、成形材料としては、成形後に硬化させることができる材料であれば、粘土や液状シリコン等の種々の材料を使用することができる。粘土を使用する場合には、自然乾燥や加熱により硬化される。
【００３２】
成形材料としては、透明性を有する樹脂材料を使用することもできる。ペンダント本体１０が透明性を有していると、ヒートン２１の埋設部２３は外部から目視観察される。そのようなデザインのペンダント本体１０においては、ヒートン２１の埋設部２３を種々の形状とすると、それを外部から観察されるので、埋設部２３をペンダント本体１０のデザインの一部とすることができる。
【００３３】
図７（Ａ）〜（Ｄ）は、それぞれヒートン２１の変形例を示す正面図である。図７（Ａ）に示されるヒートン２１の埋設部２３はハート形であり、図７（Ｂ）に示される埋設部２３は星形であり、図７（Ｃ）に示される埋設部２３は円形であり、図７（Ｄ）に示される埋設部２３は六角形である。このように、埋設部２３の形状としては、種々の形状とすることができる。
【００３４】
図８は成形型の変形例を示す平面図であり、図９は図８におけるＡ−Ａ線断面図である。この成形型３１には、複数の凹部３３が設けられており、それぞれの凹部３３は相互に形状が相違している。このように、形状が相違した複数の凹部３３が設けられた成形型３１を用いて主アクセサリ部１１や副アクセサリ部１５を成形すると、同時に形状が相違した複数の種類のペンダント本体１０を製造することができる。なお、図８および図９に示された成形型３１を主アクセサリ部１１と副アクセサリ部１５の一方を成形するために使用し、他方他の成形型により成形すると、上述のように、主アクセサリ部１１と副アクセサリ部１５の形状を相互に相違させたペンダント本体１０となる。
【００３５】
本発明は前記実施の形態に限定されるものではなく、その要旨を逸脱しない範囲で種々変更可能である。図示したアクセサリはペンダントを示すが、アクセサリ本体とこれに固定されるヒートンとを備えたものであれば、イヤリング、ブレスレット等のように、身につけるアクセサリの他、キーホルダ、携帯用機器に装着されるストラップ等にも、このアクセサリを適用することができる。
【符号の説明】
【００３６】
１０    ペンダント本体
１１    主アクセサリ部
１２    主表面
１３    主背面
１５    副アクセサリ部
１６    副表面
１７    副背面
２１    ヒートン
２２    丸環部
２３    埋設部
２４    傾斜連結部
２５    連結部
２６    根元
３１    成形型
３２    成形面
３３    凹部
３４    上面
３５    開口部
【図１】
2018057590.tif 000003
【図２】
2018057590.tif 000004
【図３】
2018057590.tif 000005
【図４】
2018057590.tif 000006
【図５】
2018057590.tif 000007
【図６】
2018057590.tif 000008
【図７】
2018057590.tif 000009
【図８】
2018057590.tif 000010
【図９】
2018057590.tif 000011